(57)【要約】【課題】着用者の肌を保護するローションを、着用者の肌に継続的に放出する吸収性物品を提供すること。【解決手段】液透過性層２と、液不透過性層と、液透過性層２及び液不透過性層の間の吸収層３とを備える吸収性物品１であって、吸収性物品１が、着用者の肌と接する領域の少なくとも一部に、ゲル化剤と、ローションとを含むゲルローション６を有し、上記ゲル化剤が、スチレン系エラストマーを含み、上記ローションが、炭化水素を含み、そしてゲルローション６が、１〜１００ｋＰａの、５０％ひずみ時圧縮応力を有することを特徴とする吸収性物品１。【選択図】図１
2019018038.tif 000002
【特許請求の範囲】
【請求項１】
液透過性層と、液不透過性層と、前記液透過性層及び液不透過性層の間の吸収層とを備える吸収性物品であって、
前記吸収性物品が、着用者の肌と接する領域の少なくとも一部に、ゲル化剤と、ローションとを含むゲルローションを有し、
前記ゲル化剤が、スチレン系エラストマーを含み、
前記ローションが、炭化水素を含み、そして
前記ゲルローションが、１〜１００ｋＰａの、５０％ひずみ時圧縮応力を有する、
ことを特徴とする、前記吸収性物品。
【請求項２】
前記ゲルローションが、前記ゲル化剤及びローションを、それらの計１００質量部に基づいて、それぞれ、１〜３０質量部及び７０〜９９質量部の比率で含む、請求項１に記載の吸収性物品。
【請求項３】
前記スチレン系エラストマーが、両末端のポリスチレンブロックと、その間のポリオレフィンブロックとを含む、請求項１又は２に記載の吸収性物品。
【請求項４】
前記スチレン系エラストマーが、１０〜５０質量％のポリスチレンブロックと、５０〜９０質量％のポリオレフィンブロックとを含む、請求項１〜３のいずれか一項に記載の吸収性物品。
【請求項５】
前記スチレン系エラストマーが、５，０００〜５００，０００の重量平均分子量を有する、請求項１〜４のいずれか一項に記載の吸収性物品。
【請求項６】
前記ゲルローションが、減摩剤をさらに含む、請求項１〜５のいずれか一項に記載の吸収性物品。
【請求項７】
前記ゲルローションが、０．０１〜１．００の静摩擦係数を有する、請求項１〜６のいずれか一項に記載の吸収性物品。
【請求項８】
前記ローションとして、０．００超且つ０．６０以下のＩＯＢと、４０℃における０．０１〜８０ｍｍ2／ｓの動粘度と、０．０１〜４．０質量％の抱水率と、１，０００未満の重量平均分子量とを有する体液滑性付与剤をさらに含む、請求項１〜７のいずれか一項に記載の吸収性物品。
【請求項９】
前記ゲルローションが、前記液透過性層の肌当接領域に、ライン状又はドット状に配置されている、請求項１〜８のいずれか一項に記載の吸収性物品。
【請求項１０】
使い捨ておむつ、生理用ナプキン又はパンティーライナーである、請求項１〜９のいずれか一項に記載の吸収性物品。
【請求項１１】
着用者の肌と接する領域の少なくとも一部に、ゲル化剤と、ローションとを含むゲルローションを有する不織布であって、
前記ゲル化剤が、スチレン系エラストマーを含み、
前記ローションが、炭化水素を含み、そして
前記ゲルローションが、１〜１００ｋＰａの、５０％ひずみ時圧縮応力を有する、
ことを特徴とする、前記不織布。
【発明の詳細な説明】
【技術分野】
【０００１】
本開示は、吸収性物品に関する。
【背景技術】
【０００２】
吸収性物品、例えば、生理用ナプキン、パンティーライナー等では、長年積み重ねられてきた技術開発により基本的性能が向上し、以前と比較して、経血等の排泄物を吸収した後に、漏れ等が生ずることが少なくなってきており、現在は、さらなる高機能化、例えば、肌着に近い着用感を有することが求められている。
【０００３】
また、例えば、特許文献１には、トップシートの外表面の少なくとも一部に２０℃で半固体または固体であり部分的に着用者の肌へ移動可能である有効量のローションコーティングを含む吸収性物品が記載されている。また、上記ローションコーティングは、（ｉ）１０〜９５％が、２０℃で可塑性または流動性コンシステンシーを有し、石油ベースのエモリエント剤、脂肪酸エステルエモリエント剤、アルキルエトキシレートエモリエント剤、およびこれらの混合物から選択された１つを含む、実質的に水分を含まないエモリエント剤と、（ｉｉ）５〜９０％が、エモリエント剤をトップシートの外表面上に固定することを可能とする固定化物質であって、前記固定化物質が、少なくとも３５℃、好ましくは少なくとも４０℃の融点を有し、ポリヒドロキシ脂肪酸エステル、ポリヒドロキシ脂肪酸アミド、Ｃ14−Ｃ22脂肪アルコール、Ｃ12−Ｃ22脂肪酸、Ｃ12−Ｃ22脂肪アルコールエトキシレート、およびそれらの混合物から選ばれるものとが含まれる。
【先行技術文献】
【特許文献】
【０００４】
【特許文献１】特表平１０−５０９８９６号公報
【発明の概要】
【発明が解決しようとする課題】
【０００５】
特許文献１では、３５℃以上の融点を有する固定化物質が、ローションコーティング中で室温（２５℃）で結晶化し、ローションコーティングの粘度を高くすることにより、ローションコーティングを不動化させる作用を有する。
【０００６】
しかし、固定化物質を用いてローションコーティングを不動化（高粘度化）すると、そもそも、有効成分である「エモリエント剤」が、ローションコーティングから放出されにくいとの問題点がある。また、ローションコーティングを不動化（高粘度化）しても、体圧等の高い圧力の下では、ローションコーティングが吸収性物品の内部（トップシートの繊維の空隙等）に移動し、「エモリエント剤」が着用者の肌に作用し続けることが難しい問題点がある。
【０００７】
従って、本開示は、着用者の肌を保護するローションを、着用者の肌に継続的に放出する吸収性物品を提供することを目的とする。
【課題を解決するための手段】
【０００８】
本開示者らは、液透過性層と、液不透過性層と、上記液透過性層及び液不透過性層の間の吸収層とを備える吸収性物品であって、上記吸収性物品が、着用者の肌と接する領域の少なくとも一部に、ゲル化剤と、ローションとを含むゲルローションを有し、上記ゲル化剤が、スチレン系エラストマーを含み、上記ローションが、炭化水素を含み、そして上記ゲルローションが、１〜１００ｋＰａの、５０％ひずみ時圧縮応力を有することを特徴とする吸収性物品を見出した。
【発明の効果】
【０００９】
本開示の吸収性物品は、着用者の肌を保護するローションを、着用者の肌に継続的に放出する。
【図面の簡単な説明】
【００１０】
【図１】図１は、本開示の実施形態の１つに従う吸収性物品１を示す平面図である。
【図２】図２は、本開示の別の実施形態に従う吸収性物品１を示す平面図である。
【発明を実施するための形態】
【００１１】
本開示の吸収性物品について、以下、詳細に説明する。
本開示の吸収性物品は、液透過性層と、液不透過性層と、上記液透過性層及び液不透過性層の間の吸収層とを備える。
本開示の吸収性物品は、着用者の肌と接する領域の少なくとも一部、すなわち、肌当接領域に、ゲル化剤と、ローションとを含むゲルローションを有する。
【００１２】
［ゲルローション］
本開示の吸収性物品において、ゲルローションは、ゲル化剤と、ローションとを含む。
ゲル化剤は、上記ローションを保持するため成分であり、スチレン系エラストマーを含む。
【００１３】
上記スチレン系エラストマーとしては、ハードセグメント及びソフトセグメントを有するものが好ましく、そして上記ハードセグメントとしては、ポリスチレンブロックが好ましく、そして上記ソフトセグメントとしては、ポリオレフィンブロックが好ましい。
上記ポリスチレンブロックには、スチレンのホモポリマーから成るブロック（すなわち、ポリスチレンブロック）だけでなく、α−メチルスチレンのホモポリマーから成るブロック（すなわち、ポリα−メチルスチレンブロック）、及びスチレンとα−メチルスチレンとのコポリマーから成るブロックとが含まれる。
【００１４】
上記ポリオレフィンブロックとしては、例えば、ポリオレフィンのホモポリマーから成るブロック、例えば、ポリエチレンブロック、ポリプロピレンブロック、ポリブチレンブロック、及びポリブタジエンブロック、並びにポリオレフィンのコポリマーから成るブロック、例えば、エチレン、プロピレン、ブチレン及びブタジエン等のコポリマーから成るブロックが挙げられる。
なお、本明細書では、便宜上、ブタジエンもオレフィン系モノマーとして取り扱う。
【００１５】
また、上記ソフトセグメントには、ポリブタジエンブロックの水素付加物、並びにブタジエンと、エチレン、プロピレン、ブチレン及びブタジエン等のコポリマーから成るブロックの水素付加物も含まれる。
【００１６】
上記スチレン系エラストマーとしては、両末端にハードセグメントを有し、それらの間に１種又は複数種のソフトセグメントを有することが好ましい。
上記スチレン系エラストマーの具体例としては、例えば、以下が挙げられる。
（ｉ）ポリスチレン−ｂｌｏｃｋ−ポリ（エチレン−ｃｏ−プロピレン）
（以下、「ＳＥＰ」と省略する場合がある）
（ｉｉ）ポリスチレン−ｂｌｏｃｋ−ポリ（エチレン−ｃｏ−プロピレン）−ｂｌｏｃｋ−ポリスチレン
（以下、「ＳＥＰＳ」と省略する場合がある）
（ｉｉｉ）ポリスチレン−ｂｌｏｃｋ−ポリ（エチレン−ｃｏ−ブチレン）−ｂｌｏｃｋ−ポリスチレン
（以下、「ＳＥＢＳ」と省略する場合がある）
（ｉｖ）ポリスチレン−ｂｌｏｃｋ−ポリエチレン−ｂｌｏｃｋ−ポリ（エチレン−ｃｏ−プロピレン）−ｂｌｏｃｋ−ポリスチレン
（以下、「ＳＥＥＰＳ」と省略する場合がある）
【００１７】
上記スチレン系エラストマーは、好ましくは５，０００〜５００，０００、より好ましくは１０，０００〜４００，０００、そしてさらに好ましくは５０，０００〜３００，０００の重量平均分子量を有する。上記重量平均分子量が５，０００を下回ると、スチレン系エラストマーがゲル構造を保持することが難しくなる傾向があり、そして上記重量平均分子量が５００，０００を超えると、形成されるゲルの５０％ひずみ時圧縮応力が高くなり、着用感が低下する傾向がある。
なお、重量平均分子量の測定方法は、後述する。
【００１８】
上記スチレン系エラストマーは、好ましくは１０〜５０質量％のポリスチレンブロックと、５０〜９０質量％のポリオレフィンブロックとを含み、より好ましくは１５〜４０質量％のポリスチレンブロックと、６０〜８５質量％のポリオレフィンブロックとを含み、そしてさらに好ましくは１８〜３５質量％のポリスチレンブロックと、６５〜８２質量％のポリオレフィンブロックとを含む。
【００１９】
ポリスチレンブロックの量が１０質量％を下回ると、ポリスチレンブロックが後述のミクロ層分離構造を形成することが難しくなる傾向がある。ポリスチレンブロックの量が５０質量％を超えると、ローションを保持可能なポリオレフィンブロックの量が少なくなり、ひいては保持できるローションの量が少なくなる傾向がある。また、ポリスチレンブロックのミクロ層分離構造の量が多くなり、形成されるゲルローションが固くなり、着用感に劣る傾向がある。
【００２０】
上記スチレン系エラストマーが、ゲルローションを生成する理由は、以下の通りである。スチレン系エラストマーのハードセグメントは、互いに凝集してドメインを形成し、架橋点として作用する。一方で、ソフトセグメントは、それらの架橋点を連結する網目の役割を果たす。その結果、スチレン系エラストマーは、弾性体として機能する。
【００２１】
上記スチレン系エラストマーを、上記ローション、特に炭化水素と混合すると、スチレン系エラストマーのソフトセグメントが、上記ローションを保持する一方で、ハードセグメントはドメインを形成したままとなる。その結果、スチレン系エラストマーと、上記ローションとの混合物（ゲルローション）は、スチレン系エラストマー単体よりも低い圧縮応力を有する弾性体として機能する。
なお、上記ローションは、スチレン系エラストマーのソフトセグメントの緩い網目に保持されているのみであり、ゲルローションの表面に移動可能である。
【００２２】
上記ローションは、炭化水素を含む。本明細書において、「炭化水素」は、炭素と水素とから成る化合物を意味する。上記炭化水素としては、鎖状炭化水素、例えば、パラフィン系炭化水素（二重結合及び三重結合を含まない、アルカンとも称される）、オレフィン系炭化水素（二重結合を１つ含む、アルケンとも称される）、アセチレン系炭化水素（三重結合を１つ含む、アルキンとも称される）、及び二重結合及び三重結合から成る群から選択される結合を２つ以上含む炭化水素、並びに環状炭化水素、例えば、芳香族炭化水素、脂環式炭化水素が挙げられる。
【００２３】
上記炭化水素としては、鎖状炭化水素及び脂環式炭化水素であることが好ましく、鎖状炭化水素であることがより好ましく、パラフィン系炭化水素、オレフィン系炭化水素、及び二重結合を２つ以上含む炭化水素（三重結合を含まない）であることがさらに好ましく、そしてパラフィン系炭化水素であることがさらに好ましい。
上記鎖状炭化水素には、直鎖状炭化水素及び分岐鎖状炭化水素が含まれる。
【００２４】
上記炭化水素は、４０℃における０．０１〜８０ｍｍ2／ｓの動粘度を有することが好ましく、０．０１〜４．０質量％の抱水率を有することが好ましく、そして１，０００未満の重量平均分子量を有することが好ましい。炭化水素が、後述の体液滑性付与剤として作用することができるからである。
【００２５】
本開示のゲルローションでは、ローション（例えば、炭化水素）が、一定量、ゲルローションの表面にブリードしている。表面にブリードしたローションが、着用者の肌に移動するか、又は経血、尿等の体液と共に吸収体内部に滑落等して消失すると、ゲルローションからローションが新たにブリードしてくる。従って、ゲルローションは、ローションを継続的に放出することができる。
【００２６】
上記ローションは、上記炭化水素を、好ましくは５０〜１００質量％、より好ましくは６０〜１００質量％、そしてさらに好ましくは７０〜１００質量％含む。ゲルの形成の観点からである。
【００２７】
上記ゲルローションは、上記ローションとして、上述の炭化水素以外に、当技術分野でローションとして知られている成分をさらに含むことができる。
上記ゲルローションは、上記ローションとして、上述の炭化水素以外に、０．００超且つ０．６０以下のＩＯＢと、４０℃における０．０１〜８０ｍｍ2／ｓの動粘度と、０．０１〜４．０質量％の抱水率と、１，０００未満の重量平均分子量とを有する体液滑性付与剤をさらに含むことが好ましい。
【００２８】
上記体液滑性付与剤は、本件出願人の出願である、国際公開第２０１２／１３３７２４号パンフレットに記載の「血液改質剤」と同様の成分であり、そして同じく国際公開第２０１３／１２９２３６号パンフレットに記載の「血液滑性付与剤」と同一の成分である。
上記ゲルローションが上述の体液滑性付与剤を含むことにより、ゲルローションから体液滑性付与剤が継続的に放出され、長時間にわたり、液透過性層に到達した体液等を、吸収体の内部に迅速に滑落させることができる。
【００２９】
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【００３０】
上記無機性値と、有機性値とは、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【００３１】
【表１】
2019018038.tif 000003
【００３２】
上記動粘度は、ＪＩＳ  Ｋ  ２２８３：２０００の「５．動粘度試験方法」に従って、キャノンフェンスケ逆流形粘度計を用いて、４０℃の試験温度で測定する。
【００３３】
本明細書において、上記「抱水率」は、物質が保持する水の比率を意味し、以下の通りに測定する。
（１）４０℃の恒温室に、試験管、ゴム栓、測定すべき物質及び脱イオン水を２４時間静置する。
（２）上記恒温室で、２０ｍＬの試験管に、測定すべき物質５．０ｇと、脱イオン水５．０ｇを投入する。
（３）上記恒温室で、試験管の口をゴム栓にて栓をし、１回転させ、５分間静置する。
【００３４】
（４）上記恒温室で、測定すべき物質の層（通常は、上層）３．０ｇを、直径９０ｍｍの、質量：Ｗ0（ｇ）のガラス製シャーレに採取する。
（５）上記シャーレを、オーブン内で、１０５℃で３時間加熱し、水分を蒸発させ、シャーレごと、質量：Ｗ1（ｇ）を測定する。
（６）抱水率を、以下の式に従って算出する。
抱水率（質量％）＝１００×［Ｗ0（ｇ）−Ｗ1（ｇ）］／３．０（ｇ）
測定は３回実施し、平均値を採用する。
【００３５】
本明細書において、上記「重量平均分子量」は、多分散系の化合物（例えば、逐次重合により製造された化合物、複数の脂肪酸と、複数の脂肪族１価アルコールとから生成されたエステル）と、単一化合物（例えば、１種の脂肪酸と、１種の脂肪族１価アルコールから生成されたエステル）とを含む概念であり、Ｎi個の分子量Ｍiの分子（ｉ＝１、又はｉ＝１，２・・・）からなる系において、次の式：
Ｍw＝ΣＮiＭi2／ΣＮiＭi
により求められるＭwを意味する。
【００３６】
本明細書において、重量平均分子量は、ゲルパーミエーションクロマトグラフィー（ＧＰＣ）により求められる、ポリスチレン換算の値を意味する。
ＧＰＣの測定条件としては、例えば、以下が挙げられる。
機種：（株）日立ハイテクノロジーズ製  高速液体クロマトグラム  Ｌａｃｈｒｏｍ  Ｅｌｉｔｅ
カラム：昭和電工（株）製  ＳＨＯＤＥＸ  ＫＦ−８０１、ＫＦ−８０３及びＫＦ−８０４
溶離液：ＴＨＦ
流量  ：１．０ｍＬ／分
打込み量：１００μＬ
検出：ＲＩ（示差屈折計）
【００３７】
上記体液滑性付与剤は、好ましくは、次の（ｉ）及び（ｉｉ）、
（ｉ）  （ｉ−１）炭化水素部分と、（ｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉ）  （ｉｉ−１）炭化水素部分と、（ｉｉ−２）上記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉ−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
なお、上記炭化水素部分は、上述の炭化水素と同義である。
【００３８】
上記（ｉ）及び（ｉｉ）の化合物において、オキシ基（−Ｏ−）が２つ以上挿入されている場合には、各オキシ基（−Ｏ−）は隣接していない。従って、上記（ｉ）及び（ｉｉ）の化合物には、オキシ基が連続する化合物（いわゆる、過酸化物）は含まれない。
【００３９】
上記体液滑性付与剤は、より好ましくは、次の（ｉ’）及び（ｉｉ’）、
（ｉ’）  （ｉ’−１）炭化水素部分と、（ｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉ’）  （ｉｉ’−１）炭化水素部分と、（ｉｉ’−２）上記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉ’−３）上記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
なお、上記炭化水素部分は、上述の炭化水素と同様である。
【００４０】
上記（ｉ’）及び（ｉｉ’）の化合物において、２以上の同一又は異なる結合が挿入されている場合、すなわち、カルボニル結合（−ＣＯ−）、エステル結合（−ＣＯＯ−）、カーボネート結合（−ＯＣＯＯ−）及びエーテル結合（−Ｏ−）から選択される２以上の同一又は異なる結合が挿入されている場合には、各結合は隣接しておらず、各結合の間には、少なくとも、炭素原子が１つ介在する。
【００４１】
上記体液滑性付与剤としては、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、及び（ｅ3）ポリオキシＣ3〜Ｃ6アルキレングリコールと少なくとも１の脂肪族１価アルコールとのエーテル、並びにそれらの任意の組み合わせが挙げられる。
以下、これらの化合物について説明する。
【００４２】
［（ａ1）鎖状炭化水素テトラオールと少なくとも１の脂肪酸とのエステル］
鎖状炭化水素テトラオールは、上述の鎖状炭化水素の水素原子（計４つ）が、ヒドロキシル基（−ＯＨ）（計４つ）で置換された化合物を意味し、上記鎖状炭化水素テトラオールと少なくとも１の脂肪酸とのエステルとしては、例えば、次の式（１）：
【化１】
2019018038.tif 000004
のペンタエリトリトールと脂肪酸とのテトラエステル、次の式（２）：
【化２】
2019018038.tif 000005
のペンタエリトリトールと脂肪酸とのトリエステル、次の式（３）：
【化３】
2019018038.tif 000006
のペンタエリトリトールと脂肪酸とのジエステル、次の式（４）：
【化４】
2019018038.tif 000007
のペンタエリトリトールと脂肪酸とのモノエステルが挙げられる。
（式中、Ｒ1〜Ｒ4のそれぞれは、鎖状炭化水素である）
【００４３】
上記ペンタエリトリトールと脂肪酸とのエステルを構成する脂肪酸（Ｒ1ＣＯＯＨ、Ｒ2ＣＯＯＨ，Ｒ3ＣＯＯＨ，及びＲ4ＣＯＯＨ）としては、例えば、飽和脂肪酸、例えば、Ｃ2〜Ｃ30の飽和脂肪酸、例えば、酢酸（Ｃ2）（Ｃ2は、炭素数を示し、Ｒ1Ｃ、Ｒ2Ｃ，Ｒ3Ｃ又はＲ4Ｃの炭素数に相当する、以下同じ）、プロパン酸（Ｃ3）、ブタン酸（Ｃ4）及びその異性体、例えば、２−メチルプロパン酸（Ｃ4）、ペンタン酸（Ｃ5）及びその異性体、例えば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）及びその異性体、例えば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びに列挙されていないこれらの異性体が挙げられる。
【００４４】
上記脂肪酸はまた、不飽和脂肪酸であることができる。上記不飽和脂肪酸としては、例えば、Ｃ3〜Ｃ20の不飽和脂肪酸、例えば、モノ不飽和脂肪酸、例えば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、例えば、リノール酸（Ｃ18）、エイコサジエン酸（Ｃ20）等、トリ不飽和脂肪酸、例えば、リノレン酸、例えば、α−リノレン酸（Ｃ18）及びγ−リノレン酸（Ｃ18）、ピノレン酸（Ｃ18）、エレオステアリン酸、例えば、α−エレオステアリン酸（Ｃ18）及びβ−エレオステアリン酸（Ｃ18）、ミード酸（Ｃ20）、ジホモ−γ−リノレン酸（Ｃ20）、エイコサトリエン酸（Ｃ20）等、テトラ不飽和脂肪酸、例えば、ステアリドン酸（Ｃ20）、アラキドン酸（Ｃ20）、エイコサテトラエン酸（Ｃ20）等、ペンタ不飽和脂肪酸、例えば、ボセオペンタエン酸（Ｃ18）、エイコサペンタエン酸（Ｃ20）等、並びにこれらの部分水素付加物が挙げられる。
【００４５】
［（ａ2）鎖状炭化水素トリオールと少なくとも１の脂肪酸とのエステル］
鎖状炭化水素トリオールは、上述の鎖状炭化水素の水素原子（計３つ）が、ヒドロキシル基（−ＯＨ）（計３つ）で置換された化合物を意味し、上記鎖状炭化水素トリオールと少なくとも１の脂肪酸とのエステルとしては、例えば、次の式（５）：
【化５】
2019018038.tif 000008
のグリセリンと脂肪酸とのトリエステル、次の式（６）：
【化６】
2019018038.tif 000009
のグリセリンと脂肪酸とのジエステル、及び次の式（７）：
【化７】
2019018038.tif 000010
（式中、Ｒ5〜Ｒ7のそれぞれは、鎖状炭化水素である）
のグリセリンと脂肪酸とのモノエステルが挙げられる。
なお、脂肪酸については、上述の通りである。
【００４６】
［（ａ3）鎖状炭化水素ジオールと少なくとも１の脂肪酸とのエステル］
上記鎖状炭化水素ジオールは、上述の鎖状炭化水素の水素原子（計２つ）が、ヒドロキシル基（−ＯＨ）（計２つ）で置換された化合物を意味し、上記鎖状炭化水素ジオールと少なくとも１の脂肪酸とのエステルとしては、例えば、次の式（８）：
Ｒ8ＣＯＯＣkＨ2kＯＣＯＲ9  （８）
（式中、ｋは、２〜６の整数であり、そしてＲ8及びＲ9は、それぞれ、鎖状炭化水素である）
のＣ2〜Ｃ6グリコールと脂肪酸とのジエステル、及び次の式（９）：
Ｒ8ＣＯＯＣkＨ2kＯＨ  （９）
（式中、ｋは、２〜６の整数であり、そしてＲ8は、鎖状炭化水素である）
のＣ2〜Ｃ6グリコールと脂肪酸とのモノエステルが挙げられる。
なお、脂肪酸については、上述の通りである。
【００４７】
［（ｂ1）鎖状炭化水素テトラオールと少なくとも１の脂肪族１価アルコールとのエーテル］
（ｂ1）鎖状炭化水素テトラオールと少なくとも１の脂肪族１価アルコールとのエーテルとしては、例えば、次の式（１０）〜（１３）：
【化８】
2019018038.tif 000011
（式中、Ｒ10〜Ｒ13のそれぞれは、鎖状炭化水素である。）
の、ペンタエリトリトールと脂肪族１価アルコールとのテトラエーテル、トリエーテル、ジエーテル及びモノエーテルが挙げられる。
なお、鎖状炭化水素テトラオールは、上述の通りである。
【００４８】
上記脂肪族１価アルコールとしては、例えば、飽和脂肪族１価アルコール及び不飽和脂肪族１価アルコールが挙げられる。
上記飽和脂肪族１価アルコールとしては、例えば、Ｃ1〜Ｃ20の飽和脂肪族１価アルコール、例えば、メチルアルコール（Ｃ1）（Ｃ1は、炭素数を示す、以下同じ）、エチルアルコール（Ｃ2）、プロピルアルコール（Ｃ3）及びその異性体、例えば、イソプロピルアルコール（Ｃ3）、ブチルアルコール（Ｃ4）及びその異性体、例えば、ｓｅｃ−ブチルアルコール（Ｃ4）及びｔｅｒｔ−ブチルアルコール（Ｃ4）、ペンチルアルコール（Ｃ5）、ヘキシルアルコール（Ｃ6）、ヘプチルアルコール（Ｃ7）、オクチルアルコール（Ｃ8）及びその異性体、例えば、２−エチルヘキシルアルコール（Ｃ8）、ノニルアルコール（Ｃ9）、デシルアルコール（Ｃ10）、ドデシルアルコール（Ｃ12）、テトラデシルアルコール（Ｃ14）、ヘキサデシルアルコール（Ｃ16）、へプラデシルアルコール（Ｃ17）、オクタデシルアルコール（Ｃ18）、及びエイコシルアルコール（Ｃ20）、並びに列挙されていないこれらの異性体が挙げられる。
【００４９】
上記不飽和脂肪族１価アルコールとしては、上記飽和脂肪族１価アルコールのＣ−Ｃ単結合の１つを、Ｃ＝Ｃ二重結合で置換したもの、例えば、オレイルアルコールが挙げられる。
【００５０】
［（ｂ2）鎖状炭化水素トリオールと少なくとも１の脂肪族１価アルコールとのエーテル］
（ｂ2）鎖状炭化水素トリオールと少なくとも１の脂肪族１価アルコールとのエーテルとしては、例えば、次の式（１４）〜（１６）：
【化９】
2019018038.tif 000012
（式中、Ｒ14〜Ｒ16のそれぞれは、鎖状炭化水素である。）
の、グリセリンと脂肪族１価アルコールとのトリエーテル、ジエーテル及びモノエーテルが挙げられる。
なお、鎖状炭化水素トリオール及び脂肪族１価アルコールは、上述の通りである。
【００５１】
［（ｂ3）鎖状炭化水素ジオールと少なくとも１の脂肪族１価アルコールとのエーテル］
（ｂ3）鎖状炭化水素ジオールと少なくとも１の脂肪族１価アルコールとのエーテルとしては、次の式（１７）：
Ｒ17ＯＣnＨ2nＯＲ18  （１７）
（式中、ｎは、２〜６の整数であり、そしてＲ17及びＲ18は、それぞれ、鎖状炭化水素である）
のＣ2〜Ｃ6グリコールと脂肪族１価アルコールとのジエーテル、及び次の式（１８）：
Ｒ17ＯＣnＨ2nＯＨ  （１８）
（式中、ｎは、２〜６の整数であり、そしてＲ17は、鎖状炭化水素である）
のＣ2〜Ｃ6グリコールと脂肪族１価アルコールとのモノエーテルが挙げられる。
なお、鎖状炭化水素ジオール及び脂肪族１価アルコールは、上述の通りである。
【００５２】
［（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル］
（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステルとしては、例えば、そのモノエステル、ジエステル、トリエステル及びテトラエステルが挙げられる。
【００５３】
［（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル］
（ｃ2）３個のカルボキシル基を有する鎖状炭化水素トリカルボン酸、ヒドロキシ酸、アルコキシ酸又はオキソ酸と、少なくとも１の脂肪族１価アルコールとのエステルとしては、例えば、そのモノエステル、ジエステル及びトリエステルが挙げられる。
【００５４】
［（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル］
（ｃ3）２個のカルボキシル基を有する鎖状炭化水素ジカルボン酸、ヒドロキシ酸、アルコキシ酸又はオキソ酸と、少なくとも１の脂肪族１価アルコールとのエステルとしては、例えば、そのモノエステル及びジエステルが挙げられる。
【００５５】
［（ｄ1）脂肪族１価アルコールと脂肪族１価アルコールとのエーテル］
脂肪族１価アルコールは上述の通りであり、上記脂肪族１価アルコールと脂肪族１価アルコールとのエーテルとしては、次の式（１９）：
Ｒ19ＯＲ20    （１９）
（式中、Ｒ19及びＲ20のそれぞれは、鎖状炭化水素である）
を有する化合物が挙げられる。
なお、鎖状炭化水素は、上述の通りである。
【００５６】
［（ｄ2）ジアルキルケトン］
上記ジアルキルケトンとしては、次の式（２０）：
Ｒ21ＣＯＲ22    （２０）
（式中、Ｒ21及びＲ22のそれぞれは、アルキル基である）
を有する化合物が挙げられる。
【００５７】
［（ｄ3）脂肪酸と脂肪族１価アルコールとのエステル］
脂肪酸及び脂肪族１価アルコールは上述の通りであり、上記脂肪酸と脂肪族１価アルコールとのエステルとしては、例えば、次の式（２１）：
Ｒ23ＣＯＯＲ24  （２１）
（式中、Ｒ23及びＲ24のそれぞれは、鎖状炭化水素である）
を有する化合物が挙げられる。
なお、鎖状炭化水素は、上述の通りである。
【００５８】
［（ｄ4）ジアルキルカーボネート］
上記ジアルキルカーボネートとしては、次の式（２２）：
Ｒ25ＯＣ（＝Ｏ）ＯＲ26    （２２）
（式中、Ｒ25及びＲ26のそれぞれは、アルキル基である）
を有する化合物が挙げられる。
【００５９】
［（ｅ1）ポリオキシＣ3〜Ｃ6アルキレングリコール］
上記ポリオキシＣ3〜Ｃ6アルキレングリコールは、ｉ）オキシＣ3〜Ｃ6アルキレン骨格、すなわち、オキシプロピレン骨格、オキシブチレン骨格、オキシペンチレン骨格、及びオキシヘキシレン骨格から成る群から選択されるいずれか１種の骨格を有し且つ両末端にヒドロキシ基を有するホモポリマー、ｉｉ）上記群から選択される２種以上の骨格を有し且つ両末端にヒドロキシ基を有するブロックコポリマー、又はｉｉｉ）上記群から選択される２種以上の骨格を有し且つ両末端にヒドロキシ基を有するランダムコポリマーを意味する。
【００６０】
上記ポリオキシＣ3〜Ｃ6アルキレングリコールは、次の式（２３）：
ＨＯ−（ＣmＨ2mＯ）n−Ｈ    （２３）
（式中、ｍは３〜６の整数である）
により表わされる。
【００６１】
［（ｅ2）ポリオキシＣ3〜Ｃ6アルキレングリコールと少なくとも１の脂肪酸とのエステル］
上記ポリオキシＣ3〜Ｃ6アルキレングリコールと少なくとも１の脂肪酸とのエステルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪酸によりエステル化されているもの、すなわち、モノエステル及びジエステルが挙げられる。
なお、脂肪酸については、上述の通りである。
【００６２】
［（ｅ3）ポリオキシＣ3〜Ｃ6アルキレングリコールと少なくとも１の脂肪族１価アルコールとのエーテル］
上記ポリオキシＣ3〜Ｃ6アルキレングリコールと少なくとも１の脂肪族１価アルコールとのエーテルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪族１価アルコールによりエーテル化されているもの、すなわち、モノエーテル及びジエーテルが挙げられる。
なお、脂肪族１価アルコールについては、上述の通りである。
【００６３】
体液滑性付与剤の作用は、国際公開第２０１２／１３３７２４号パンフレット，国際公開第２０１３／１２９２３６号パンフレット等に説明されるとおりであるが、上記ゲルローションが、ローションとして体液滑性付与剤を含む場合には、以下の作用がさらに得られる。
【００６４】
上記ゲルローションは、吸収性物品の肌当接領域に、体液滑性付与剤を継続的に放出する、例えば、徐放するため、体液滑性付与剤が体液と共に、吸収性物品の内部に滑落したとしても、ゲルローションから液透過性層の表面に新たな体液滑性付与剤が供給され、体液を吸収性物品の内部に滑落させ続ける。その結果、吸収性物品を長時間使用し続けた場合であっても、液透過性層にべたつきが生じにくく、液透過性層がサラサラした状態を保ち続ける。
【００６５】
上記ローションは、上記体液滑性付与剤を、好ましくは０〜５０質量％、より好ましくは０〜４０質量％、そしてさらに好ましくは０〜３０質量％含む。ゲルの形成の観点からである。
【００６６】
上記ゲルローションは、ゲル化剤と、ローションとを、それらの計１００質量部に基づいて、それぞれ、好ましくは１〜３０質量部及び７０〜９９質量部、より好ましくは２〜２０質量部及び８０〜９８質量部、そしてさらに好ましくは３〜１５質量部及び８５〜９７質量部の比率で含む。上記ゲル化剤の比率が１質量部を下回ると、形成されるゲルローションが、弾性体として作用しにくくなるか、又は体圧が加わった際にゲルローションの弾性限界を超えて変形する場合がある。上記ゲル化剤の比率が３０質量部を超えると、形成されるゲルローションの弾性が高く、着用感に劣る場合がある。
【００６７】
上記ゲルローションは、１〜１００ｋＰａの５０％ひずみ時圧縮応力を有し、好ましくは１〜８０ｋＰａの５０％ひずみ時圧縮応力、そしてより好ましくは１．５〜６０ｋＰａの５０％ひずみ時圧縮応力を有する。
５０％ひずみ時圧縮応力が１ｋＰａを下回ると、体圧が加わった際にゲルローションが弾性限界を超えて変形し、破壊される場合があり、そして５０％ひずみ時圧縮応力が１００ｋＰａを超えると、ゲルローションの弾性が高く、体圧が加わった際にゲルローションが変形しにくく、着用者が違和感を覚える場合がある。
【００６８】
従来のローションコーティング、スキンケア剤等では、有効成分を所定の場所に固定するために、それらを高粘度化（粘性体化）する手法が採用されている。しかし、それらを高粘度化すると、有効成分（エモリエント剤等）がローションコーティング、スキンケア剤等の内部に閉じ込められ、その機能を発揮することが難しくなる。また、従来のローションコーティング、スキンケア剤等は、粘性体に過ぎず、着圧等の体圧が加わると、所定の場所に固定されず、吸収性物品の内部に移動し、着用者の肌に作用し続けることが難しい問題点がある。
【００６９】
一方、上記ゲルローションは、体圧等の加わる範囲で弾性体としての挙動を示す。従って、上記ゲルローションに高い体圧が加わっても、弾性変形するに留まり、トップシートの繊維等の間に押し込まれることなく、体圧が低くなると弾性回復し、元の位置（肌当接領域）に戻る。従って、ゲルローションに含まれるローションが所望の位置でその作用を果たすことができる。
【００７０】
本明細書では、ゲルローションの５０％ひずみ時圧縮応力は、以下の通り測定される。
なお、特に規定されていない事項は、ＪＩＳ  Ｋ  ７１８１：２０１１  「プラスチック−圧縮特性の求め方」の「３．７  ｘ％ひずみ時圧縮応力」に従う。
（１）２０℃６５％ＲＨの恒温恒湿室に、圧縮試験機を準備する。
なお、本実施例では、圧縮試験機として、小型卓上試験機ＥｚＴｅｓｔ（島津製作所製）を用いた。
（２）圧縮試験機に、圧縮用治具を取り付ける。
なお、本実施例では、直径１２０ｍｍのステンレス製の圧縮用治具を用いた。
【００７１】
（３）圧縮用治具に、ゲルローションをセットする。
なお、本実施例では、直径４０ｍｍ、高さ８ｍｍの円筒形を有するゲルローションを準備した。
（４）５ｍｍ／分の圧縮速度で、圧縮量が４ｍｍ、すなわち、ひずみが５０％になるまで、ゲルローションを圧縮し、圧縮力（Ｎ）を読み取る。
（５）圧縮力（Ｎ）を、圧縮応力（Ｐａ）に換算する。
なお、圧縮応力は、異なるサンプルで実施した、３回の測定値の平均値を採用する。
【００７２】
［減摩剤］
上記ゲルローションは、ゲル化剤及びローションに加え、減摩剤をさらに含むことができる。上記減摩剤としては、例えば、シリコーンオイル、シリコーン系レジン、アクリル酸アルキルコポリマー、界面活性剤、長鎖脂肪族エステル等が挙げられる。上記ゲルローションが減摩剤を含むことにより、着用時に、ゲルローションと、着用者の肌との間の摩擦が少なくなり、着用者の肌がかぶれにくくなる効果が期待される。
【００７３】
上記ゲルローションは、好ましくは０．０１〜１．００、より好ましくは０．０２〜０．５０、そしてさらに好ましくは０．０３〜０．０３の静摩擦係数を有する。着用者の肌のかぶれにくさの観点からである。
上記静摩擦係数を達成するために、ゲルローションは、上記減摩剤を、ゲルローション１００質量部（ゲル化剤及びローションの計１００質量部）に対して、好ましくは０．０１〜２０質量部、より好ましくは０．０５〜１０質量部、そしてより好ましくは０．１〜７質量部の量で含む。
【００７４】
上記静摩擦係数は、以下の通り測定される。なお、測定は、２０℃×６５％ＲＨの恒温恒湿室で行う。
（１）直径４０ｍｍ、高さ８ｍｍの円筒形を有するゲルローションを準備する。
（２）静摩擦試験機として、ＨＥＩＤＯＮ  トライボギア  μｓ（ミュ−ズ）  ＴＹＰＥ：９４ｉを準備する（以下、「ミューズ」と略称する場合がある）。
（３）ミューズの本体に、スライダーをセットする。
（４）ミューズの電源を入れ、表示が“０．００”であることを確認する。
【００７５】
（５）ゲルローションの上に、ミューズのスライダーを置く。
（６）ミューズの測定ボタンを押して、表示された値を読みとる。
（７）測定は、異なるゲルローションにおいて、計５回実施し、それらの平均値を採用する。
【００７６】
上記ゲルローションは、本開示の効果を阻害しない範囲で、その他の成分を含むことができる。
上記その他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【００７７】
上記その他の成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
上記ビタミンとしては、例えば、脂溶性ビタミン、例えば、ビタミンＡ群、ビタミンＤ群、ビタミンＥ群、及びビタミンＫ群等が挙げられる。
上記ビタミンにはまた、それらの誘導体も含まれる。
上記その他の成分としては、例えば、アミノ酸、例えば、アラニン、アルギニン、リジン、ヒスチジン、プロリン、ヒドロキシプロリン等、並びにペプチドが挙げられる。
【００７８】
上記その他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
上記少なくとも１種の他の成分としては、例えば、コレステロール、ヒアルロン酸、レシチン、セラミド等が挙げられる。
【００７９】
また、上記その他の成分としては、例えば、薬剤、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【００８０】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【００８１】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【００８２】
また、上記その他の成分としては、例えば、抗炎症成分、ｐＨ調整剤、抗菌剤、保湿剤、香料、例えば、アロマオイル、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、皮膚を弱酸性に保つためのもの、例えば、リンゴ酸、コハク酸、クエン酸、酒石酸、乳酸等が挙げられる。
上記顔料としては、例えば、酸化チタンが挙げられる。
【００８３】
また、上記その他の成分としては、スキンケア作用を有するもの、例えば、ホホバオイル、ツバキオイル、及びスクラワンオイルが挙げられる。
また、上記その他の成分としては、ミネラルオイルが挙げられる。
【００８４】
本開示の吸収性物品は、上記ゲルローションを、着用者の肌と接する任意の面に有することができ、例えば、吸収性層の肌当接領域に、上記ゲルローションを有することができる。
本開示の吸収性物品では、ゲルローションの配置には、特に制限がなく、例えば、液透過性層の肌当接領域に、ライン状又はドット状に配置される。
【００８５】
図１は、本開示の実施形態の１つに従う吸収性物品１を示す平面図である。図１に示される吸収性物品１、より具体的には生理用ナプキンは、液透過性層としてのトップシート２と、液不透過性層としてのバックシート（図示せず）と、トップシート２及びバックシート（図示せず）の間の、吸収性層としての吸収体３とを有する。図１に示される吸収性物品１はまた、サイドシート４と、エンボス部５とを有する。
【００８６】
トップシート２は、その肌当接領域に、ゲルローション６を含み、そして複数のライン状のゲルローション６が、吸収性物品１の長手方向に沿って塗工されている。換言すると、トップシート２は、お互いに平行であり且つ吸収性物品１の長手方向に延びる、複数のライン状のゲルローション６を含む。
【００８７】
図２は、本開示の別の実施形態に従う吸収性物品１を示す平面図である。図２に示される吸収性物品１、より具体的には生理用ナプキンでは、トップシート２は、その肌当接領域に、ゲルローション６を含み、そして複数のドット状のゲルローション６が、千鳥状に塗工されている。換言すると、トップシート２は、千鳥状に配置されている複数のドット状のゲルローション６を含む。
【００８８】
本開示の吸収性物品において、上記ゲルローションが塗工される面積については特に制限がないが、吸収性物品の通気性を阻害しない観点からは、着用者の肌と接する領域の、好ましくは１〜５０％、より好ましくは３〜４０％、そしてさらに好ましくは５〜３０％の領域に塗工される。
【００８９】
また、上記ゲルローションが液透過性層に塗工される実施形態では、上記ゲルローションは、液透過性層が吸収性層と、吸収性物品の厚さ方向に重複する範囲において、液透過性層の面積の１〜５０％の領域に塗工されていることが好ましく、液透過性層の面積の３〜４０％の領域に塗工されていることがより好ましく、そして液透過性層の面積の５〜３０％の領域に塗工されていることがさらに好ましい。
【００９０】
上記ゲルローションが液透過性層の面積の１％未満に塗工されていると、本開示の効果を発揮にしくくなる傾向がある。上記ゲルローションが液透過性層の面積の５０％を超える領域に塗工されていると、ゲルローションが塗工されている領域は体液を吸収しないため、結果として体液を吸収する領域が狭くなり、吸収性が低下する傾向がある。
【００９１】
また、上記塗工領域を達成するために、液透過性層は、吸収性層と、吸収性物品の厚さ方向に重複する範囲において、上記ゲルローションを、好ましくは１〜３０ｇ／ｍ2、より好ましくは２〜２０ｇ／ｍ2、そしてさらに好ましくは３〜１０ｇ／ｍ2の坪量で含む。
【００９２】
本明細書では、ゲルローションの坪量は、以下のように測定する。
（１）トップシートの測定すべき範囲を、鋭利な刃物、例えば、カッターの替え刃で切り出して、サンプルを得る。
（２）サンプルの面積：Ａ（ｍ2）及び質量：Ｍ0（ｇ）を測定する。
（３）サンプルを、ゲルローションが可溶な溶媒、例えば、芳香族系溶媒、例えば、キシレン等の中で、少なくとも３分間攪拌し、ゲルローションを溶媒中に溶解させる。
【００９３】
（４）サンプルを、質量を測定したろ紙の上でろ過し、ろ紙上で、サンプルを溶媒で十分に洗浄する。ろ紙上のサンプルを、１００℃のオーブン内で乾燥させる。
（５）ろ紙及びサンプルの質量を測定し、そこからろ紙の質量を減ずることにより、乾燥後のサンプルの質量：Ｍ1（ｇ）を算出する。
（６）ゲルローションの坪量ＧBW（ｇ／ｍ2）を、次の式：
ＧBW（ｇ／ｍ2）＝［Ｍ0（ｇ）−Ｍ1（ｇ）］／Ａ（ｍ2）
により算出する。
なお、誤差を少なくするために、サンプルの総面積が１００ｃｍ2を超えるように、複数の吸収性物品から複数のサンプルを採取し、複数回実験を繰り返し、それらの平均値を採用する。
【００９４】
本開示の吸収性物品において、液透過性層が不織布又は織布である場合には、当該不織布又は織布は、親水化処理されていることが好ましい。上記親水化処理としては、不織布又は織布の繊維の表面に親水剤をコーティングすること、不織布又は織布の原料である合成樹脂に親水剤を混合すること等が挙げられる。液透過性層上に、炭化水素、体液滑性付与剤等に由来する親油性領域と、親水剤に由来する親水性領域とがまばらに共存することになり、滑落性能をより発揮し、体液を吸収体に速やかに移行させやすくなるからである。
【００９５】
上記ゲルローションは、特に制限なく、製造することができる。
例えば、加熱したローションの中にゲル化剤を添加し、混合することにより塗工液を製造し、そして当該塗工液を、ゲルローションを塗工すべき吸収性物品の液透過性層に塗工することにより、吸収性物品が製造されうる。
【００９６】
上記ゲルローションは、所望により、揮発性溶媒、例えば、アルコール系溶媒、エステル系溶媒、芳香族系溶媒等を含む塗布液として塗装することができる。上記塗布液が揮発性溶媒を含むことにより、上記塗布液の粘度が下がるために、塗布が容易になる、塗装時の加温が不要になる等の塗布工程の簡易化が図れる。
【００９７】
上記塗布液の塗布方法は、特に制限されるものではなく、必要に応じて塗布液を加熱し、例えば、非接触式コーター、または接触式コーター等により塗布することができる。
上記非接触式のコーターとしては、例えば、スパイラルコーター、カーテンコーター、スプレーコーター、ディップコーター等が挙げられ、そして接触式のコーターとしては、例えば、スロットコーター、パターンコーター等が挙げられる。
【００９８】
上記塗布液は、液透過性層の素材、例えば、不織布を製造する際に塗布されることができ、又は吸収性物品を製造する製造ラインにおいて、ゲルローションを塗工すべき吸収性物品に塗布されることもできる。設備投資を抑制する観点からは、吸収性物品の製造ラインにおいて、上記塗布液を塗布することが好ましく、さらに、ゲルローションが脱落し、ラインを汚染することを抑制するためには、製造ラインの川下工程、具体的には、製品を個包装に封入する直前に、上記塗布液を塗布することが好ましい。
【００９９】
本開示の吸収性物品としては、例えば、使い捨ておむつ、尿取りパッド、生理用ナプキン、パンティーライナーが挙げられる。
【０１００】
本開示はまた、不織布に関する。
本開示の不織布は、着用者の肌と接する領域の少なくとも一部に、ゲル化剤と、ローションとを含むゲルローションを有する。
上記ゲルローションは、上述の通りである。
本開示の不織布が、着用者の肌と接する領域の少なくとも一部にゲルローションを有することにより、着用者の肌を保護するローションを、着用者の肌に継続的に放出することができる。
【０１０１】
上記ゲルローションは、不織布の、肌と接する領域の少なくとも一部に、例えば、ライン状又はドット状に配置される。
上記不織布を含む製品としては、マスク、ウェットティッシュ等が挙げられる。
【実施例】
【０１０２】
以下、例を挙げて本開示を説明するが、本開示はこれらの例に限定されるものではない。
［例１］
ＳＥＥＰＳ（クラレ株式会社製，セプトン４０５５，スチレン含有量：３０質量％，重量平均分子量：約２５万）（以下、「ＳＥＥＰＳ−２」と省略する場合がある）２部を、約１４０℃に加熱したパールリームＥＸ（日油株式会社製，流動イソパラフィン、イソブテン及びｎ−ブテンを共重合し、次いで水素を付加することにより生成された分岐鎖炭化水素、３７．８℃における動粘度が１０ｍｍ2／ｓ）９８部に添加し、これらを５時間、攪拌しながら混合することにより混合物を生成し、当該混合物を直径４０ｍｍの円筒形容器に、高さ８ｍｍまで注ぎ、次いで混合物を冷却することにより、直径４０ｍｍ且つ高さ８ｍｍの円筒形のゲルローションＮｏ．１−１を得た。
【０１０３】
ＳＥＰＳ（クラレ株式会社製，セプトン２００５，スチレン含有量：２０質量％，重量平均分子量：約２６万）（以下、「ＳＥＰＳ−１」と称する場合がある）３部を、約１４０℃に加熱した、パールリームＥＸ９２部と、シリコーンオイル（東レ・ダウコーニング株式会社製，ＳＨ２００−１００ｃｓ，ジメチルポリシロキサン，２５℃における動粘度が１００ｍｍ2／ｓ）５部との混合物に添加し、これらを５時間、攪拌しながら混合することにより混合物を生成し、当該今後物を直径４０ｍｍの円筒形容器に、高さ８ｍｍまで注ぎ、次いで混合物を冷却することにより、直径４０ｍｍ且つ高さ８ｍｍの円筒形のゲルローションＮｏ．１−６を得た。
【０１０４】
配合を表２に示すように変更した以外は、ゲルローションＮｏ．１−１又はゲルローションＮｏ．１−６と同様にして、ゲルローションＮｏ.１−２〜１−５、及びＮｏ．１−７〜１−２０を得た。
なお、表２に記載される化合物の概要は、以下の通りであるが、別の箇所で説明されているものについては、説明を省略する。
また、ゲルローションＮｏ．１−１〜１−２０の５０％ひずみ時圧縮応力と、静摩擦係数とを評価した。併せて表２に示す。
【０１０５】
・ＳＥＥＰＳ−１：
スチレン含有量：３０質量％，重量平均分子量：約１１万
・ＳＥＢＳ−１：
スチレン含有量：３０質量％，重量平均分子量：約１１万
【０１０６】
・ＳＥＢＳ−２：
スチレン含有量：３１質量％，重量平均分子量：約１６万
・ＳＥＢＳ−３：
スチレン含有量：３３質量％，重量平均分子量：約２９万
・パールリーム６：
日油株式会社製，流動イソパラフィン、イソブテン及びｎ-ブテンを共重合し、次いで水素を付加することにより生成された分岐鎖炭化水素、重合度：約５〜約１０，重量平均分子量：約３３０
【０１０７】
【表２−１】
2019018038.tif 000013
【０１０８】
【表２−２】
2019018038.tif 000014
【０１０９】
［例２］
下記表３に記載される配合に従った以外は、例１のゲルローションＮｏ．１−６を製造した手順に従って、直径４０ｍｍ且つ高さ８ｍｍの円筒形のゲルローションＮｏ．２−１〜２−４を得た。
なお、表３に記載される化合物の概要は、以下の通りである。
【０１１０】
・ノニオンＯＰ−８０Ｒ：
日油株式会社製，モノオレイン酸ソルビタン
・ＫＰ−５６１Ｐ
信越化学工業株式会社製，アクリレート／アクリル酸ステアリル／アクリル酸ジメチコンコポリマー
ゲルローションＮｏ．２−１〜２−４の静摩擦係数を測定した。結果を、併せて表３に示す。
【０１１１】
【表３】
2019018038.tif 000015
【０１１２】
［例３］
下記表４に記載される配合に従い且つ内径４７ｍｍのガラス製シャーレ内に３ｇの量を注いだ以外は、例１のゲルローションＮｏ．１−１又はＮｏ．１−６を製造した手順に従って、ゲルローションＮｏ．３−１〜３−４を得た。
【０１１３】
特許文献１の実施例４Ａに従って、鉱油６５質量％と、セテアリルアルコール３５質量％とを含むローション組成物を準備し、内径４７ｍｍのガラス製シャーレ内に３ｇの量を注ぎ、ゲルローションＮｏ．３−５（比較例）を準備した。
【０１１４】
ゲルローションＮｏ．３−１〜３−５を、３５℃又は２０℃の恒温室に３０分静置し、次いで、各ゲルローションの上に、質量を測定した３ｃｍ×３ｃｍのろ紙を置き、その上に２００ｇのおもりを乗せ、１分後におもりを除去し、ろ紙の質量の変化を測定した。結果を表４に示す。
【０１１５】
【表４】
2019018038.tif 000016
【０１１６】
表４から明らかなように、本開示のゲルローションＮｏ.３−１〜３−４は、温度によらず、一定量のローションを放出することが確認され、寒冷〜温暖な地域において、ローションを同様に継続して放出できることが示唆される。
一方、ゲルローションＮｏ．３−５（比較例）は、温度が低い場合には、ローションを放出しにくくなることが分かる。
【０１１７】
本開示は、以下のＪ１〜Ｊ１０に関する。
［Ｊ１］
液透過性層と、液不透過性層と、上記液透過性層及び液不透過性層の間の吸収層とを備える吸収性物品であって、
上記吸収性物品が、着用者の肌と接する領域の少なくとも一部に、ゲル化剤と、ローションとを含むゲルローションを有し、
上記ゲル化剤が、スチレン系エラストマーを含み、
上記ローションが、炭化水素を含み、そして
上記ゲルローションが、１〜１００ｋＰａの、５０％ひずみ時圧縮応力を有する、
ことを特徴とする、上記吸収性物品。
【０１１８】
［Ｊ２］
上記ゲルローションが、上記ゲル化剤及びローションを、それらの計１００質量部に基づいて、それぞれ、１〜３０質量部及び７０〜９９質量部の比率で含む、Ｊ１に記載の吸収性物品。
［Ｊ３］
上記スチレン系エラストマーが、両末端のポリスチレンブロックと、その間のポリオレフィンブロックとを含む、Ｊ１又はＪ２に記載の吸収性物品。
【０１１９】
［Ｊ４］
上記スチレン系エラストマーが、１０〜５０質量％のポリスチレンブロックと、５０〜９０質量％のポリオレフィンブロックとを含む、Ｊ１〜Ｊ３のいずれか一項に記載の吸収性物品。
【０１２０】
［Ｊ５］
上記スチレン系エラストマーが、５，０００〜５００，０００の重量平均分子量を有する、Ｊ１〜Ｊ４のいずれか一項に記載の吸収性物品。
［Ｊ６］
上記ゲルローションが、減摩剤をさらに含む、Ｊ１〜Ｊ５のいずれか一項に記載の吸収性物品。
【０１２１】
［Ｊ７］
上記ゲルローションが、０．０１〜１．００の静摩擦係数を有する、Ｊ１〜Ｊ６のいずれか一項に記載の吸収性物品。
［Ｊ８］
上記ローションとして、０．００超且つ０．６０以下のＩＯＢと、４０℃における０．０１〜８０ｍｍ2／ｓの動粘度と、０．０１〜４．０質量％の抱水率と、１，０００未満の重量平均分子量とを有する体液滑性付与剤をさらに含む、Ｊ１〜Ｊ７のいずれか一項に記載の吸収性物品。
【０１２２】
［Ｊ９］
上記ゲルローションが、上記液透過性層の肌当接領域に、ライン状又はドット状に配置されている、Ｊ１〜Ｊ８のいずれか一項に記載の吸収性物品。
【０１２３】
［Ｊ１０］
使い捨ておむつ、生理用ナプキン又はパンティーライナーである、Ｊ１〜Ｊ９のいずれか一項に記載の吸収性物品。
【符号の説明】
【０１２４】
［Ｊ１１］
着用者の肌と接する領域の少なくとも一部に、ゲル化剤と、ローションとを含むゲルローションを有する不織布であって、
上記ゲル化剤が、スチレン系エラストマーを含み、
上記ローションが、炭化水素を含み、そして
上記ゲルローションが、１〜１００ｋＰａの、５０％ひずみ時圧縮応力を有する、
ことを特徴とする、上記不織布。
【０１２５】
１    吸収性物品
２    トップシート
３    吸収体
４    サイドシート
５    エンボス部
６    ゲルローション
【図１】
2019018038.tif 000017
【図２】
2019018038.tif 000018
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ゲル化剤と、ローションとを含むゲルローションを有する不織布を含むマスクであって、
前記ゲル化剤が、スチレン系エラストマーを含み、
前記ローションが、炭化水素を含み、そして
前記ゲルローションが、１〜１００ｋＰａの、５０％ひずみ時圧縮応力を有する、
ことを特徴とする、前記マスク。
【請求項２】
前記ゲルローションは、不織布の少なくとも一部の領域に、ライン状又はドット状に配置される、請求項１に記載のマスク。
【請求項３】
前記ゲルローションが、前記ゲル化剤及びローションを、それらの計１００質量部に基づいて、それぞれ、１〜３０質量部及び７０〜９９質量部の比率で含む、請求項１又は２に記載のマスク。
【請求項４】
前記スチレン系エラストマーが、両末端のポリスチレンブロックと、その間のポリオレフィンブロックとを含む、請求項１〜３のいずれか一項に記載のマスク。
【請求項５】
前記スチレン系エラストマーが、１０〜５０質量％のポリスチレンブロックと、５０〜９０質量％のポリオレフィンブロックとを含む、請求項１〜４のいずれか一項に記載のマスク。
【請求項６】
前記スチレン系エラストマーが、５，０００〜５００，０００の重量平均分子量を有する、請求項１〜５のいずれか一項に記載のマスク。
【請求項７】
前記ゲルローションが、減摩剤をさらに含む、請求項１〜６のいずれか一項に記載のマスク。
【請求項８】
前記ゲルローションが、０．０１〜１．００の静摩擦係数を有する、請求項１〜７のいずれか一項に記載のマスク。
【請求項９】
前記ローションとして、０．００超且つ０．６０以下のＩＯＢと、４０℃における０．０１〜８０ｍｍ２／ｓの動粘度と、０．０１〜４．０質量％の抱水率と、１，０００未満の重量平均分子量とを有する体液滑性付与剤をさらに含む、請求項１〜８のいずれか一項に記載のマスク。
【請求項１０】
ゲル化剤と、ローションとを含むゲルローションを有する不織布を含むウェットティッシュであって、
前記ゲル化剤が、スチレン系エラストマーを含み、
前記ローションが、炭化水素を含み、そして
前記ゲルローションが、１〜１００ｋＰａの、５０％ひずみ時圧縮応力を有する、
ことを特徴とする、前記ウェットティッシュ。
【請求項１１】
前記ゲルローションは、不織布の少なくとも一部の領域に、ライン状又はドット状に配置される、請求項１０に記載のウェットティッシュ。
【請求項１２】
前記ゲルローションが、前記ゲル化剤及びローションを、それらの計１００質量部に基づいて、それぞれ、１〜３０質量部及び７０〜９９質量部の比率で含む、請求項１０又は１１に記載のウェットティッシュ。
【請求項１３】
前記スチレン系エラストマーが、両末端のポリスチレンブロックと、その間のポリオレフィンブロックとを含む、請求項１０〜１２のいずれか一項に記載のウェットティッシュ。
【請求項１４】
前記スチレン系エラストマーが、１０〜５０質量％のポリスチレンブロックと、５０〜９０質量％のポリオレフィンブロックとを含む、請求項１０〜１３のいずれか一項に記載のウェットティッシュ。
【請求項１５】
前記スチレン系エラストマーが、５，０００〜５００，０００の重量平均分子量を有する、請求項１０〜１４のいずれか一項に記載のウェットティッシュ。
【請求項１６】
前記ゲルローションが、減摩剤をさらに含む、請求項１０〜１５のいずれか一項に記載のウェットティッシュ。
【請求項１７】
前記ゲルローションが、０．０１〜１．００の静摩擦係数を有する、請求項１０〜１６のいずれか一項に記載のウェットティッシュ。
【請求項１８】
前記ローションとして、０．００超且つ０．６０以下のＩＯＢと、４０℃における０．０１〜８０ｍｍ２／ｓの動粘度と、０．０１〜４．０質量％の抱水率と、１，０００未満の重量平均分子量とを有する体液滑性付与剤をさらに含む、請求項１０〜１７のいずれか一項に記載のウェットティッシュ。